(57)【特許請求の範囲】
【請求項１】
放射線を検出して電気信号に変換する画素の二次元配列を有し、各画素から出力される電気信号に基づいて画像データを取得する撮像部と、
放射線露光された際に前記撮像部によって取得される放射線画像データに対する補正用データを記憶する記憶部と、
放射線非露光状態において前記撮像部によって取得されるダーク画像データに基づいて補正用データを生成し、該補正用データによって前記記憶部を更新する補正用データ生成部と、
前記記憶部に記憶された補正用データを用いて前記放射線画像データに対して補正処理を行う補正部と、
前記撮像部が前記ダーク画像データを取得する際に作用する外乱を検出する外乱検出部と、
前記外乱検出部における検出結果に基づいて、該検出結果が許容範囲内である場合に前記補正用データ生成部による前記記憶部の更新及び前記撮像部による前記ダーク画像データの取得を可と判定し、該検出結果が許容範囲外である場合に前記記憶部の更新及び前記ダーク画像データの取得を否と判定する判定部と、
を備え、
前記撮像部は、放射線画像検出装置の起動時、放射線画像検出装置の終了時、待機時、撮影間の少なくともいずれかにおいて前記ダーク画像データを取得し、
前記撮像部による放射線画像データの取得が、前記判定部による前記記憶部の更新の可否又は前記ダーク画像データの取得の可否の判定結果とは独立になされ、該判定結果が否である場合に、前記補正部は、前記記憶部に記憶された以前の補正用データを用いて前記補正処理を行う放射線画像検出装置。
【請求項２】
請求項１に記載の放射線画像検出装置であって、
前記外乱検出部は、外乱を検出するためのセンサを有する放射線画像検出装置。
【請求項３】
請求項１又は２に記載の放射線画像検出装置であって、
前記撮像部が前記ダーク画像データを取得する際に、前記撮像部が前記ダーク画像デー
タを取得中であることを報知する報知部をさらに備える放射線画像検出装置。
【請求項４】
請求項１から３のいずれか一項に記載の放射線画像検出装置であって、
前記外乱検出部は、振動を検出し、
前記判定部は、前記外乱検出部によって検出された振動の振幅の絶対値が所定の閾値以
下である場合に、前記記憶部の更新又は前記補正用データの生成を可と判定し、前記所定
の閾値より大きい場合に、前記記憶部の更新又は前記補正用データの生成を否と判定する
放射線画像検出装置。
【請求項５】
請求項１から３のいずれか一項に記載の放射線画像検出装置であって、
前記外乱検出部は、振動を検出し、
前記判定部は、前記外乱検出部によって検出された振動の周波数が所定の周波数以上で
ある場合に、前記記憶部の更新又は前記補正用データの生成を可と判定し、前記所定の閾
値より小さい場合に、前記記憶部の更新又は前記補正用データの生成を否と判定する放射
線画像検出装置。
【請求項６】
請求項１から３のいずれか一項に記載の放射線画像検出装置であって、
前記外乱検出部は、荷重を検出し、
前記判定部は、前記外乱検出部により荷重が検出されていない場合に、前記記憶部の更
新又は前記補正用データの生成を可と判定し、荷重が検出されている場合に、前記記憶部
の更新又は前記補正用データの生成を否と判定する放射線画像検出装置。
【請求項７】
請求項１から３のいずれか一項に記載の放射線画像検出装置であって、
前記外乱検出部は、荷重を検出し、
前記判定部は、前記外乱検出部により検出された荷重分布の空間周波数において所定の
周波数以上の成分が含まれていない場合に、前記記憶部の更新又は前記補正用データの生
成を可と判定し、所定の周波数以上の成分が含まれている場合に、前記記憶部の更新又は
前記補正用データの生成を否と判定する放射線画像検出装置。
【請求項８】
請求項１から７のいずれか一項に記載の放射線画像検出装置であって、
前記補正部による前記補正処理は、オフセット補正である放射線画像検出装置。
【請求項９】
請求項１から７のいずれか一項に記載の放射線画像検出装置であって、
前記補正部による前記補正処理は、残像補正である放射線画像検出装置。
【請求項１０】
請求項１から７のいずれか一項に記載の放射線画像検出装置であって、
前記補正部による前記補正処理は、画素欠陥補正である放射線画像検出装置。
【請求項１１】
請求項１から１０のいずれか一項に記載の可搬型の放射線画像検出装置。 
【発明の詳細な説明】
【技術分野】
【０００１】
本発明は、放射線画像検出装置に関する。
【背景技術】
【０００２】
Ｘ線を用いた撮影は、医療診断や非破壊検査等の分野において広く普及している。一般的なＸ線撮影においては、被写体にＸ線を照射し、被写体の各部において減衰を受けて該被写体を透過したＸ線を検出し、その強度分布に基づいて被写体のＸ線画像を得ている。
【０００３】
Ｘ線を検出する検出媒体として、近年では、Ｘ線を検出して電気信号に変換する画素の二次元配列を有するフラットパネル検出器（ＦＰＤ：Flat Panel Detector）が用いられている。そして、Ｘ線撮影には、上記のＦＰＤが可搬型の筐体に収納されて構成された、いわゆるカセッも広く用いられている。
【０００４】
一般に、ＦＰＤによって取得される被写体の画像データに対しては種々の補正処理が行われ、補正された画像データに基づく画像が被写体のＸ線画像として提示される。そのような補正処理として、例えばオフセット補正が挙げられる。
【０００５】
オフセット補正は、ＦＰＤの各画素の暗電流ノイズを除去するものであり、暗電流は、ＦＰＤへの入力（Ｘ線露光）がないときに各画素から出力される電気信号として測定される。オフセット補正は、被写体を透過したＸ線を検出して生成されるＸ線画像データから、ＦＰＤへの入力がないときに生成されるダーク画像データを差し引くことで、画素毎に異なる暗電流ノイズを除去する。
【０００６】
ダーク画像データを用いた補正処理としては、オフセット補正の他に、残像補正や、画素欠陥補正といった補正処理もある。
【０００７】
各画素の暗電流は、非常に微弱であり、振動や荷重などの外乱の影響を受け易い。例えば、振動作用下において生成されるダーク画像には縞状の画像ムラが生じる場合があり、そのようなダーク画像が差し引かれることでＸ線画像にも画像ムラが生じ得る。即ち、過度の外乱が作用する状況下で取得されたダーク画像データを用いて上記の補正処理を行ったのでは、適切な補正を行うことができない。特に、カセッテは、その使用形態から外乱にさらされることが多い。そこで、例えば振動であれば、振動を検出し、振動が許容範囲内に収まるのを待って、Ｘ線画像データ及びダーク画像データの取得を行うことが提案されている（例えば、特許文献１、２参照）。
【先行技術文献】
【特許文献】
【０００８】
【特許文献１】特開２００１−３４０３２３号公報
【特許文献２】特開２００５−２４５６６３号公報
【発明の概要】
【発明が解決しようとする課題】
【０００９】
特許文献１、２に記載されたＸ線撮影装置においては、検出される振動が許容範囲内に収まった後に、Ｘ線画像データ及びダーク画像データが取得される。即ち、Ｘ線画像データの取得と一体的にダーク画像データの取得の可否が判定されている。この場合に、振動の許容範囲は、典型的には、Ｘ線画像データに比べて振動の影響が顕著であるダーク画像データに合わせて設定される。
【００１０】
例えば同じ被写体に対して撮影部位を種々に替えて行う連続撮影において、撮影部位を変更する度にＸ線画像検出装置には振動が作用することになるが、上記の画像データの取得の可否判定によれば、その都度、振動の影響が相対的に顕著であるダーク画像データに合わせて設定される許容範囲内に振動が収まるのを待って撮影を行うことになる。これでは、撮影の進行に支障を生じる虞がある。
【００１１】
本発明は、上述した事情に鑑みなされたものであり、放射線画像データに対して適切な補正処理を行うことができ、かつ撮影を効率的に進行することができる放射線画像検出装置を提供することを目的とする。
【課題を解決するための手段】
【００１２】
放射線を検出して電気信号に変換する画素の二次元配列を有し、各画素から出力される電気信号に基づいて画像データを取得する撮像部と、
放射線露光された際に前記撮像部によって取得される放射線画像データに対する補正用データを記憶する記憶部と、
放射線非露光状態において前記撮像部によって取得されるダーク画像データに基づいて補正用データを生成し、該補正用データによって前記記憶部を更新する補正用データ生成部と、
前記記憶部に記憶された補正用データを用いて前記放射線画像データに対して補正処理を行う補正部と、
前記撮像部が前記ダーク画像データを取得する際に作用する外乱を検出する外乱検出部と、
前記外乱検出部における検出結果に基づいて、該検出結果が許容範囲内である場合に前記補正用データ生成部による前記記憶部の更新及び前記撮像部による前記ダーク画像データの取得を可と判定し、該検出結果が許容範囲外である場合に前記記憶部の更新及び前記ダーク画像データの取得を否と判定する判定部と、
を備え、
前記撮像部は、放射線画像検出装置の起動時、放射線画像検出装置の終了時、待機時、撮影間の少なくともいずれかにおいて前記ダーク画像データを取得し、
前記撮像部による放射線画像データの取得が、前記判定部による前記記憶部の更新の可否又は前記ダーク画像データの取得の可否の判定結果とは独立になされ、該判定結果が否である場合に、前記補正部は、前記記憶部に記憶された以前の補正用データを用いて前記補正処理を行う放射線画像検出装置。
【発明の効果】
【００１３】
本発明によれば、ダーク画像データの取得の際に作用する外乱を検出し、検出結果に応じてダーク画像データの取得又はダーク画像データから生成される補正用データの更新の可否が判定され、可と判定された場合には新たな補正用データを用い、否と判定された場合には記憶部に記憶された以前の補正用データを用いて適切な補正処理がなされる。そして、ダーク画像データの取得ないしダーク画像データから生成される補正用データの更新の可否の判定は、放射線画像データの取得とは別に判定されるので、撮影を効率的に進行することができる。
【図面の簡単な説明】
【００１４】
【図１】本発明の実施形態を説明するための、放射線画像検出装置の一例の構成を模式的に示す断面図である。
【図２】図１の放射線画像検出装置の機能ブロック図である。
【図３】図１の放射線画像検出装置の断面図である。
【図４】図１の放射線画像検出装置における補正用データの取得のプロセスの一例を示すフロー図である。
【図５】周波数が種々に異なる振動が作用している状態において取得されるダーク画像の一例を示す図である。
【図６】図１の放射線画像検出装置における補正用データの取得のプロセスの他の例を示すフロー図である。
【図７】図１の放射線画像検出装置の変形例の断面図である。
【図８】図７の放射線画像検出装置における補正用データの取得のプロセスの一例を示すフロー図である。
【図９】荷重が作用している状態において取得されるダーク画像の一例を示す図である。
【図１０】図１の放射線画像検出装置における補正用データの取得のプロセスの他の例を示すフロー図である。
【発明を実施するための形態】
【００１５】
図１は、本発明の実施形態を説明するための、放射線画像検出装置の一例の構成を分解して示す。
【００１６】
図１に示すＸ線画像検出装置１は、いわゆる電子カセッテであって、ＦＰＤ２、ＦＰＤ２を支持する基台３、ＦＰＤ２及び基台３を収納する可搬型の筐体４と、ＦＰＤ２に動作電力を供給するバッテリー５とを備えている。
【００１７】
筐体４は、略矩形状の天板部１０及び天板部１０の四辺の縁部に立設された枠状の側壁部１１を有するフロント部材１２と、フロント部材１２の底部開口を塞ぐバック部材１３とで構成されている。フロント部１２材及びバック部材１３が互いに組み合わされることにより、遮光された箱型の閉空間が形成され、ＦＰＤ２及び基台３は、閉空間に収納されている。
【００１８】
被写体を透過したＸ線は、フロント部材１２の天板部１０を透過して、筐体内部に収納されたＦＰＤ２に入射する。天板部１０は、Ｘ線透過率に優れる材料によって形成され、強度重量比なども考慮して、典型的にはアルミニウムやマグネシウムなどの軽金属材料や、炭素繊維強化樹脂（ＣＦＲＰ：carbon fiber reinforced plastics）などの樹脂材料が用いられる。
【００１９】
そして、本Ｘ線画像検出装置１においては、フロント部材１２の側壁部１１は、天板部１０と同一の材料によって一体に形成されている。天板部１０及び側壁部１１が一体に形成されることによって、フロント部材１２の強度が向上し、特に天板部１０のねじれに対する耐性が向上する。
【００２０】
天板部１０及び側壁部１１を形成する材料として、上記のアルミニウムやマグネシウムを用いる場合には、例えばダイカスト成形により、また、炭素繊維強化樹脂を用いる場合には、例えば圧縮成形により、天板１０部及び側壁部１１を一体に形成することができる。
【００２１】
筐体４の底部を構成するバック部材１３には、バッテリー収容部１４が設けられており、バッテリー５は、このバッテリー収容部１４に収容される。
【００２２】
なお、バック部材１３についても、強度重量比などを考慮して、典型的にはアルミニウムやマグネシウムなどの軽金属材料や、ＣＦＲＰなどの樹脂材料を用いて形成されている。
【００２３】
図２は、ＦＰＤ２の構成を示す。
【００２４】
ＦＰＤ２は、Ｘ線を電荷に変換して蓄積する複数の画素２０が、アクティブマトリクス型の薄膜トランジスタ（ＴＦＴ：Thin Film Transistor）アレイ基板上に２次元状に配列されてなる受像部２１と、受像部２１の各画素２０からの電荷の読み出しタイミングを制御する走査回路２２と、各画素２０に蓄積された電荷を読み出し、読み出された電荷を画像データに変換する信号処理回路２３と、信号処理回路２３から出力される画像データに適宜な補正処理を行う補正回路２４と、補正回路２４により補正された画像データを記憶する画像メモリ２５と、画像メモリ２５に記憶された画像データを外部機器に送信するデータ送信回路２６と、各回路２２，２３，２４，２５，２６を適宜なタイミングで駆動制御する制御回路２７とから構成されている。走査回路２２と各画素２０とは、行毎に走査線２２ａによって接続されており、信号処理回路２３と各画素２０とは、列毎に信号線２３ａによって接続されている。
【００２５】
各画素２０は、アモルファスセレン等の変換層（図示せず）でＸ線を電荷に直接変換し、変換された電荷を変換層の下部の電極に接続されたキャパシタに蓄積する直接変換型の素子として構成することができる。なお、各画素２０は、酸化ガドリニウム（Ｇｄ２Ｏ３）や硫酸化ガドリウム(Ｇｄ２Ｏ２Ｓ)やヨウ化セシウム（ＣｓＩ）等からなるシンチレータ（図示せず）でＸ線を一旦可視光に変換し、変換された可視光をフォトダイオード（図示せず）で電荷に変換して蓄積する間接変換型のＸ線検出素子として構成することも可能である。
【００２６】
各画素２０には、ＴＦＴスイッチ素子（図示せず）が接続され、ＴＦＴスイッチのゲート電極が走査線２２ａに、ソース電極がキャパシタに、ドレイン電極が信号線２３ａにそれぞれ接続される。ＴＦＴスイッチが走査回路２２からの駆動パルスによってＯＮ状態になると、キャパシタに蓄積された電荷が信号線２３ａに読み出される。
【００２７】
信号処理回路２３は、積分アンプ回路及びＡ／Ｄ変換器により構成されている（いずれも不図示）。積分アンプ回路は、各画素２０から信号線２３ａを介して出力された電荷を積分して電圧信号（画像信号）に変換して、Ａ／Ｄ変換器に入力する。Ａ／Ｄ変換器は、入力された信号をデジタルの画像データに変換する。
【００２８】
補正回路２４には、被写体を透過したＸ線を検出して取得されるＸ線画像データに対して行われる補正処理に用いられる補正用データを生成する補正用データ生成部４０と、補正用データ生成部４０において生成された補正用データを記憶する記憶部４１と、記憶部４１に記憶された補正部４２が設けられている。
【００２９】
以上の各画素２０及び各回路２２，２３，２４，２５，２６，２７には、バッテリー５を含む電源部２８から動作電力が供給される。なお、電源部２８と各画素２０及び各回路２２，２３，２４，２５，２６，２７を接続する配線は図示を省略されている。
【００３０】
図３は、Ｘ線画像検出装置１の構成を断面で示す。
【００３１】
ＦＰＤ２は、天板部１０に対向する基台３の表面に受像部２１を、また、基台３の裏面に走査回路２２（図２）や信号処理回路２３などの回路が実装された回路基板２９を、それぞれ取り付けられて基台３に支持されている。受像部２１と回路基板２９とは、フレキシブル回路基板２９ａを用いて接続されている。
【００３２】
基台３は、比較的剛性に優れる基材３０を含んで構成され、図示の例においては、さらに基台３の裏面に取り付けられる回路基板２９をＸ線から遮蔽するためのＸ線遮蔽材３１が基材３０に積層されて構成されている。
【００３３】
基材３０としては、強度重量比を考慮して、例えば、アルミニウムやマグネシウムなどの軽金属材料や、ＣＦＲＰなどの樹脂材料を用いることができる。また、Ｘ線遮蔽材３１としては、例えば、鉛やタングステンやモリブデンなどのＸ線吸収能に優れる重金属材料を用いることができる。
【００３４】
基台３は、バック部材１３に設けられるバッテリー収容部１４に干渉しないように、バック部材１３との間に適宜なスペーサ３２を介在させ、バック部材１３に固定されている。
【００３５】
本Ｘ線画像検出装置１には、Ｘ線画像検出装置１に作用する振動を検出するセンサ４３が設けられている。図示の例において、センサ４３は、フレキシブル回路基板２９ａに取り付けられている。なお、センサ４３の取り付け箇所は、フレキシブル回路基板に限られず、筐体４の内面に取り付けられていてもよいし、あるいは基台３に取り付けられていてもよい。
【００３６】
振動を検出するセンサ４３としては、例えば、加速度センサやジャイロセンサなどを用いることができる。
【００３７】
センサ４３によって検出される振動は、ＦＰＤ２の補正回路２４における補正処理に用いられる補正用データの取得のために用いられる。以下に、オフセット補正を例に、その補正用データの取得のプロセスについて説明する。
【００３８】
図４は、補正用データの取得のフローの一例を示す。
【００３９】
図４は、Ｘ線画像検出装置１を起動した際の初期化のプロセスにおいて、オフセット補正用の補正用データを取得するフローを示している。
【００４０】
オフセット補正は、上述の通り、ＦＰＤ２の受像部２１がＸ線露光された際に取得されるＸ線画像データから、Ｘ線非露光状態において取得されるダーク画像データを差し引くことで、画素毎に異なる暗電流ノイズを除去するものである。
【００４１】
Ｘ線画像検出装置１の起動後、Ｘ線非露光状態において、信号処理回路２３によって受像部２１の各画素２０から電荷が読み出されダーク画像データが生成され、補正回路２４の補正用データ生成部４０は、信号処理回路２３からダーク画像データを取得する（ステップＳ１）。オフセット補正においては、このダーク画像データが補正用データとして用いられる。
【００４２】
ダーク画像データが取得される際に、併せて、Ｘ線画像検出装置１に作用している振動がセンサ４３によって検出される（ステップＳ２）。
【００４３】
制御部２７は、センサ４３によって検出された振動情報を取得し、振動が許容範囲内であるか否かを判定する（ステップＳ３）。
【００４４】
振動が許容範囲外であると判定した場合に、制御部２７は、補正用データ生成部４０による記憶部４１の更新を禁止する。補正用データ生成部４０は、保持しているダーク画像データを破棄する（ステップＳ４）。
【００４５】
振動が許容範囲内であると判定した場合に、制御部２７は、補正用データ生成部４０による記憶部４１の更新を許可する。補正用データ生成部４０は、保持しているダーク画像データによって記憶部４１を更新する（ステップＳ５）。
【００４６】
以上により、初期化のプロセスにおけるオフセット補正用データの取得が完了する。
【００４７】
以下に、制御部２７における振動の判定方法を説明する。
【００４８】
図５は、周波数が種々に異なる振動が作用している状態において取得されるダーク画像の一例を示す。
【００４９】
信号処理回路２３による各画素２０からの電荷の読み出しは、一行（共通の走査線２２ａに接続される画素群）毎に行われ、振動が作用することによって、図５に示すように、ダーク画像には列方向に周期を有する縞状の画像ムラが生じる。この縞状の画像ムラは、振動の振幅が大きいほど強くなる傾向にある。また、縞状の画像ムラの周期は、振動の周波数が高いほど短くなる傾向にあり、次第に画像ムラとして認識し得なくなる。
【００５０】
そこで、振動が許容範囲内か否かに関する制御部２７における判定は、例えば振動の振幅（絶対値）に対する所定の閾値を用いて行うことができる。具体的には、制御部２７は、センサ４３によって検出された振動の振幅が閾値を超えている場合に許容範囲外と判定し、検出された振動の振幅が閾値以下である場合に許容範囲内と判定するように構成することができる。
【００５１】
また、振動が許容範囲内か否かの制御部２７における判定は、例えば振動の周波数に対する所定の閾値を用いて行うことができる。具体的には、制御部２７は、センサ４３によって検出された振動の周波数が閾値未満である場合に許容範囲外と判定し、検出された振動の周波数が閾値以上である場合に許容範囲内と判定するように構成することができる。
【００５２】
上記の判定方法によれば、Ｘ線画像検出装置１に過度の振動が作用している状態において取得された画像ムラを含むダーク画像データが補正用データに用いられることを防止することができる。
【００５３】
このようにして取得されたオフセット補正用データは、起動後に行われる最初の撮影、ないしＸ線画像検出装置１の終了（シャットダウン）までに行われる全ての撮影によって取得されるＸ線画像データのオフセット補正に用いられ、補正部４２において、これらのＸ線画像データに対して適切なオフセット補正が行われる。
【００５４】
なお、１つのダーク画像データによってオフセット補正用データが構成されるものとして説明したが、許容範囲内の振動作用下で取得された複数のダーク画像データを用い、補正用データ生成部４０においてこれらのダーク画像データの平均をとり、これをオフセット補正用データとしてもよい。
【００５５】
また、振動が許容範囲外である場合に、信号処理回路２３によってダーク画像データを取得した上で、補正用データ生成部４０による記憶部４１の更新を禁止するものとして説明したが、信号処理回路２３によるダーク画像データの生成を禁止し、各画素２０の電荷を読み捨てるように構成することもできる。
【００５６】
オフセット補正用データが取得されている際にＸ線画像検出装置１が移動されてＸ線画像検出装置１に振動が作用することを未然に防止するため、オフセット補正用データを取得中であることを報知する報知部をＸ線画像検出装置１に設けることが好ましい。報知部としては、例えば、ＬＥＤを用いることができ、オフセット補正用データを取得中にＬＥＤが点灯するように構成することができる。
【００５７】
図６は、オフセット補正用データの取得のフローの一例を示す。
【００５８】
図６は、撮影間において、オフセット補正用の補正用データを取得するフローを示している。
【００５９】
前回の撮影の完了後、Ｘ線非露光状態において、信号処理回路２３によって受像部２１の各画素２０から電荷が読み出されダーク画像データが生成され、補正回路２４の補正用データ生成部４０は、信号処理回路２３からダーク画像データを取得する（ステップＳ１１）。
【００６０】
ダーク画像データが取得される際に、併せて、Ｘ線画像検出装置１に作用している振動がセンサ４３によって検出される（ステップＳ１２）。
【００６１】
制御部２７は、センサ４３によって検出された振動情報を取得し、振動が許容範囲内であるか否かを判定する。判定方法は、上述の通り、振動の振幅（絶対値）ないし振動の周波数に対する所定の閾値を用いて行うことができる。
【００６２】
振動が許容範囲外であると判定した場合に、制御部２７は、補正用データ生成部４０による記憶部４１の更新を禁止する。補正用データ生成部４０は、保持しているダーク画像データを破棄する（ステップＳ１３）。
【００６３】
振動が許容範囲内であると判定した場合に、制御部２７は、補正用データ生成部４０による記憶部４１の更新を許可する。補正用データ生成部４０は、保持しているダーク画像データによって記憶部４１を更新する（ステップＳ１４）。
【００６４】
以上により、撮影間におけるオフセット補正用データの取得が完了する。このようにして取得されたオフセット補正用データは、例えば前回の撮影において取得されたＸ線画像データのオフセット補正に用いられ、補正部４２により、そのＸ線画像データに対して適切なオフセット補正が行われる。
【００６５】
なお、振動が許容範囲外であると判定された場合に、ダーク画像データを破棄した上で、次回の撮影が行われるまでの間で、ダーク画像データの取得を複数回試みるように構成することもできる。
【００６６】
ここで、例えば同じ被写体に対して撮影部位を種々に替えて行う連続撮影において、撮影間隔内で振動が許容範囲内に収束しない場合に、その撮影間では記憶部４１の更新がなされないことになる。その場合には、前回の撮影において取得されたＸ線画像データに対して、記憶部４１に記憶されている以前のオフセット補正用データを用いてオフセット補正が行われる。記憶部４１に記憶されている以前のオフセット補正用データは、振動の影響が無いか若しくは影響が軽微なものであるから、Ｘ線画像データに対して適切なオフセット補正を行うことができる。
【００６７】
そして、補正用データの更新の可否を、撮影の可否とは独立して判定することにより、補正用データの更新が可と判定された場合には新たな補正用データを用い、否と判定された場合には記憶部に記憶された以前の補正用データを用いて臨機応変に対応することができ、連続撮影において撮影を効率的に進行することができる。
【００６８】
なお、撮影間におけるオフセット補正用データの取得においても、許容範囲内の振動作用下で取得された複数のダーク画像データの平均をとり、これを補正用データとしてもよい。また、許容範囲外の振動作用下において、補正用データ生成部４０による記憶部４１の更新を禁止することに替え、信号処理回路２３によるダーク画像データの生成を禁止し、各画素２０の電荷を読み捨てるように構成することもできる。
【００６９】
以上、外乱として振動を検出し、その検出結果に基づいてオフセット補正用データの更新の可否を判定する例を説明したが、外乱として荷重を検出し、その検出結果に基づいてオフセット補正用データの更新の可否を判定するように構成することもできる。
【００７０】
図７は、Ｘ線画像検出装置１の変形例の構成を断面で示す。
【００７１】
図７に示すＸ線画像検出装置１においては、ＦＰＤ２の受像部２１に作用する分布荷重を検出するセンサ４４が設けられている。筐体４の天板部１０と受像部２１との間には典型的には隙間が置かれるが、天板部１０に被写体（例えば、患者）が載置され、それにより天板部１０に撓みが生じ、天板部１０と受像部２１とが接触して、被写体の荷重が受像部２１に負荷される場合がある。
【００７２】
センサ４４は、受像部２１と基台３との間に介在して設けられている。センサ４４としては、多数の感圧素子が分散配置されたシート状のものを用いることができ、感圧素子としては、例えば、歪ゲージ抵抗式や半導体ピエゾ抵抗式や静電容量式のものを用いることができる。
【００７３】
図８は、オフセット補正用データの取得のフローの一例を示す。
【００７４】
図８は、撮影間において、オフセット補正用の補正用データを取得するフローを示している。
【００７５】
前回の撮影の終了後、Ｘ線非露光状態において、信号処理回路２３によって受像部２１の各画素２０から電荷が読み出されダーク画像データが生成され、補正回路２４の補正用データ生成部４０は、信号処理回路２３からダーク画像データを取得する（ステップＳ２１）。
【００７６】
ダーク画像データが取得される際に、併せて、ＦＰＤ２の受像部２１に作用している分布荷重がセンサ４４によって検出される（ステップＳ２２）。
【００７７】
制御部２７は、センサ４４によって検出された荷重情報を取得し、荷重が許容範囲内であるか否かを判定する（ステップＳ２３）。
【００７８】
荷重が許容範囲外であると判定した場合に、制御部２７は、補正用データ生成部４０による記憶部４１の更新を禁止する。補正用データ生成部４０は、保持しているダーク画像データを破棄する（ステップＳ２４）。
【００７９】
荷重が許容範囲内であると判定した場合に、制御部２７は、補正用データ生成部４０による記憶部４１の更新を許可する。補正用データ生成部４０は、保持しているダーク画像データによって記憶部４１を更新する（ステップＳ２５）。
【００８０】
以上により、撮影間におけるオフセット補正用の補正用データの取得が完了する。
【００８１】
以下に、制御部２７における荷重の判定方法を説明する。
【００８２】
図９は、受像部２１に荷重が作用している状態で取得されるダーク画像の一例を示す。
【００８３】
受像部２１に荷重が作用すると、各画素２０のキャパシタの静電容量が変化し、各画素２０の暗電流特性もまた変化する。特に、受像部２１に局所的に荷重が作用している状態で取得されたダーク画像には、図９に示すように、荷重が作用している領域（破線円Ｘで囲まれた領域）と作用していない領域との間で画像ムラが生じる。
【００８４】
そこで、荷重が許容範囲内か否かに関する制御部２７における判定は、例えば、キャリブレーション（ゼロ点補正）されたセンサ４４による荷重の検出の有無によって行うことができる。即ち、制御部２７は、センサ４４によって荷重が検出された場合に許容範囲外と判定し、荷重が検出されない場合に許容範囲内と判定するように構成することができる。
【００８５】
また、荷重が許容範囲内か否かの制御部２７における判定は、例えば分布荷重の空間周波数に対する所定の閾値を用いて行うことができる。具体的には、制御部２７は、センサ４４によって検出された分布荷重の空間周波数に閾値を超える成分が含まれている場合に許容範囲外と判定し、検出された分布荷重の空間周波数に閾値を越える成分が含まれていない場合に許容範囲内と判定するように構成することができる。
【００８６】
上記の判定方法によれば、受像部２１に局所的に荷重が作用している状態において取得された画像ムラを含むダーク画像データが補正用データに用いられることを防止することができる。
【００８７】
このようにして取得されたオフセット補正用データは、例えば前回の撮影において取得されたＸ線画像データのオフセット補正に用いられ、補正部４２により、そのＸ線画像データに対して適切なオフセット補正が行われる。
【００８８】
なお、荷重が許容範囲外であると判定された場合に、ダーク画像データを破棄した上で、次回の撮影が行われるまでの間で、ダーク画像データの取得を複数回試みるように構成することもできる。
【００８９】
ここで、例えば同じ被写体に対して撮影部位を種々に替えて行う連続撮影において、撮影間隔内で荷重が許容範囲内とならない場合に、その撮影間では記憶部４１の更新がなされないことになる。その場合には、前回の撮影において取得されたＸ線画像データに対して、記憶部４１に記憶されている以前のオフセット補正用データを用いてオフセット補正が行われる。記憶部４１に記憶されている以前のオフセット補正用データは、荷重の影響が無いか若しくは影響が軽微なものであるから、Ｘ線画像データに対して適切なオフセット補正が行われる。
【００９０】
そして、補正用データの更新の可否を、撮影の可否とは独立して判定することにより、補正用データの更新が可と判定された場合には新たな補正用データを用い、否と判定された場合には記憶部に記憶された以前の補正用データを用いて臨機応変に対応することができ、連続撮影において撮影を効率的に進行することができる。
【００９１】
なお、撮影間におけるオフセット補正用データの取得においても、許容範囲内の荷重作用下で取得された複数のダーク画像データの平均をとり、これを補正用データとしてもよい。また、許容範囲外の荷重作用下において、補正用データ生成部４０による記憶部４１の更新を禁止することに替え、信号処理回路２３によるダーク画像データの生成を禁止し、各画素２０の電荷を読み捨てるように構成することもできる。
【００９２】
また、Ｘ線画像検出装置１に作用する振動を検出するセンサ４３（図３参照）を設け、制御部２７において荷重及び振動の双方について許容範囲内か否かの判定を行い、双方が許容範囲内である場合にのみオフセット補正用データを取得するように構成してもよい。
【００９３】
以上、補正処理としてオフセット補正を例に、その補正用データの取得のプロセスを説明したが、かかるプロセスは、ダーク画像を用いて補正用データを生成する残像補正や画素欠陥補正にも適用可能である。
【００９４】
まず、残像補正について説明する。残像は、前回の撮影においてＦＰＤ２の受像部２１の各画素２０に蓄積された電荷の一部が各画素に残留し、各画素２０に残留した電荷が次回の撮影において各画素２０に蓄積される電荷と共に読み出されることによって生じ、残留した電荷に基づく像（残像）は、前回の撮影後に取得されるダーク画像やＸ線画像に表れる。
【００９５】
残像補正は、残像が時間経過とともに減衰することから、例えば、時間減衰を考慮してダーク画像データに適宜な重み付けを行い、これを次回の撮影において取得されるＸ線画像データからを差し引くことによって行われる。
【００９６】
このように、残像補正においても、補正用データとしてダーク画像データが用いられており、上述した図６及び図８に示す補正用データの取得のプロセスを適用することができ、それにより、Ｘ線画像データに適切な残像補正を行うことが可能となる。
【００９７】
なお、残像補正においては、残像の時間減衰を考慮して、ダーク画像データに重み付けがなされたものが補正用データとして用いられることから、必ずしもダーク画像の画像ムラがＸ線画像データにおいて視認されるとは限らない。例えば、前回の撮影からの経過時間が比較的長い場合などには、許容範囲外の振動や荷重の作用下において取得された残像補正用データであっても残像補正に用いることができる。
【００９８】
そこで、上述したオフセット補正用データ及び残像補正用データの双方について、振動や荷重に基づいて補正用データの更新の可否を判定する場合と、オフセット補正用データについてのみ振動や荷重に基づいて補正用データの更新の可否を判定し、残像補正用データについては振動や荷重によらず補正用データを更新する場合とを選択可能に構成してもよい。
【００９９】
次に、画素欠陥補正について説明する。ＦＰＤ２の受像部２１において、例えば経時劣化や静電破壊などによって欠陥画素が発生する。画素欠陥補正は、欠陥画素の位置を示す欠陥マップ（補正用データ）を用い、撮影によって取得されるＸ線画像データにおいて、欠陥画素に対応する画素値を、周囲の正常画素に対応する画素値によって補間することにより行われる。
【０１００】
欠陥画素から読み出される電荷のレベルは、他の正常画素に比べて大きくなるか、あるいは小さくなることから、ダーク画像データを構成する画素値に対して上限及び下限の閾値を設定し、その範囲から外れる画素を検出することによって、受像部２１における欠陥画素を検出することができ、欠陥画素を検出して欠陥マップが生成される。
【０１０１】
図１０は、欠陥マップの取得のフローの一例を示す。
【０１０２】
図１０に示す例は、Ｘ線画像検出装置１を終了（シャットダウン）する際のプロセスにおいて、欠陥マップを取得するフローを示している。
【０１０３】
Ｘ線画像検出装置１の終了する際に、Ｘ線非露光状態において、信号処理回路２３によって受像部２１の各画素２０から電荷が読み出されダーク画像データが生成され、補正回路２４の補正用データ生成部４０は、信号処理回路２３からダーク画像データを取得し（ステップＳ３１）、取得したダーク画像データに基づいて欠陥マップを生成する（ステップＳ３２）。
【０１０４】
ダーク画像データが取得される際に、併せて、Ｘ線画像検出装置１に作用している振動がセンサ４３によって検出される（ステップＳ３３）。
【０１０５】
制御部２７は、センサ４３によって検出された振動情報を取得し、振動が許容範囲内であるか否かを判定する（ステップＳ３４）。判定方法は、上述の通り、振動の振幅（絶対値）ないし振動の周波数に対する所定の閾値を用いて行うことができる。
【０１０６】
振動が許容範囲外であると判定した場合に、制御部２７は、補正用データ生成部４０による記憶部４１の更新を禁止する。補正用データ生成部４０は、保持している欠陥マップを破棄する（ステップＳ３５）。
【０１０７】
振動が許容範囲内であると判定した場合に、制御部２７は、補正用データ生成部４０による記憶部４１の更新を許可する。補正用データ生成部４０は、保持している欠陥マップによって記憶部４１を更新する（ステップＳ３６）。
【０１０８】
振動に基づいて欠陥マップの更新の可否を判定する例を説明したが、荷重に基づいて、あるいは振動及び荷重に基づいて欠陥マップの更新の可否を判定するように構成することもできる。
【０１０９】
また、欠陥マップの取得においても、許容範囲内の振動や荷重の作用下で取得された複数のダーク画像データの平均をとり、これに基づいて欠陥マップを生成してもよい。また、許容範囲外の振動や荷重の作用下において、補正用データ生成部４０による記憶部４１の更新を禁止することに替え、信号処理回路２３によるダーク画像データの生成を禁止し、各画素２０の電荷を読み捨てるように構成することもできる。
【０１１０】
以上の説明においては、放射線として一般的なＸ線を用いる場合について説明したが、本発明はＸ線に限られるものではなく、α線、γ線等のＸ線以外の放射線を用いることも可能である。
【０１１１】
以上、説明したように、本明細書には、下記（１）〜（１２）の放射線画像検出装置が開示されている。
【０１１２】
（１）  放射線を検出して電気信号に変換する画素の二次元配列を有し、各画素から出力される電気信号に基づいて画像データを取得する撮像部と、放射線露光された際に前記撮像部によって取得される放射線画像データに対する補正用データを記憶する記憶部と、放射線非露光状態において前記撮像部によって取得されるダーク画像データに基づいて補正用データを生成し、該補正用データによって前記記憶部を更新する補正用データ生成部と、前記記憶部に記憶された補正用データを用いて前記放射線画像データに対して補正処理を行う補正部と、前記撮像部が前記ダーク画像データを取得する際に作用する外乱を検出する外乱検出部と、前記外乱検出部における検出結果に基づいて、前記補正用データ生成部による前記記憶部の更新の可否又は前記撮像部による前記ダーク画像データの取得の可否を判定する判定部と、を備える放射線画像検出装置。
（２）  上記（１）の放射線画像検出装置であって、前記外乱検出部は、外乱を検出するためのセンサを有する放射線画像検出装置。
（３）  上記（１）又は（２）の放射線画像検出装置であって、前記撮像部が前記ダーク画像データを取得する際に、前記撮像部が前記ダーク画像データを取得中であることを報知する報知部をさらに備える放射線画像検出装置。
（４）  上記（１）から（３）のいずれか一つの放射線画像検出装置であって、前記撮像部は、放射線画像検出装置の起動時、放射線画像検出装置の終了時、待機時、撮影間の少なくともいずれかにおいて前記ダーク画像データを取得する放射線画像検出装置。
（５）  上記（１）から（４）のいずれか一つの放射線画像検出装置であって、前記外乱検出部は、振動を検出し、前記判定部は、前記外乱検出部によって検出された振動の振幅の絶対値が所定の閾値以下である場合に、前記記憶部の更新又は前記補正用データの生成を可と判定し、前記所定の閾値より大きい場合に、前記記憶部の更新又は前記補正用データの生成を否と判定する放射線画像検出装置。
（６）  上記（１）から（４）のいずれか一つの放射線画像検出装置であって、前記外乱検出部は、振動を検出し、前記判定部は、前記外乱検出部によって検出された振動の周波数が所定の周波数以上である場合に、前記記憶部の更新又は前記補正用データの生成を可と判定し、前記所定の閾値より小さい場合に、前記記憶部の更新又は前記補正用データの生成を否と判定する放射線画像検出装置。
（７）  上記（１）から（４）のいずれか一つの放射線画像検出装置であって、前記外乱検出部は、荷重を検出し、前記判定部は、前記外乱検出部により荷重が検出されていない場合に、前記記憶部の更新又は前記補正用データの生成を可と判定し、荷重が検出されている場合に、前記記憶部の更新又は前記補正用データの生成を否と判定する放射線画像検出装置。
（８）  上記（１）から（４）のいずれか一項に記載の放射線画像検出装置であって、前記外乱検出部は、荷重を検出し、前記判定部は、前記外乱検出部により検出された荷重分布の空間周波数において所定の周波数以上の成分が含まれていない場合に、前記記憶部の更新又は前記補正用データの生成を可と判定し、所定の周波数以上の成分が含まれている場合に、前記記憶部の更新又は前記補正用データの生成を否と判定する放射線画像検出装置。
（９）  上記（１）から（８）のいずれか一つの放射線画像検出装置であって、前記補正部による前記補正処理は、オフセット補正である放射線画像検出装置。
（１０）  上記（１）から（８）のいずれか一つの放射線画像検出装置であって、前記補正部による前記補正処理は、残像補正である放射線画像検出装置。
（１１）  上記（１）から（８）のいずれか一つの放射線画像検出装置であって、前記補正部による前記補正処理は、画素欠陥補正である放射線画像検出装置。
（１２）  上記（１）から（１１）のいずれか一つの可搬型の放射線画像検出装置。
【符号の説明】
【０１１３】
１     Ｘ線画像検出装置
２     ＦＰＤ（Ｘ線画像センサ）
３     基台
４     筐体
５     バッテリー
２０   画素
２１   受像部
２２   走査回路
２３   信号処理回路
２４   補正回路
２５   画像メモリ
２６   データ送信回路
２７   制御回路
４０   補正用データ生成部
４１   記憶部
４２   補正部
４３   センサ
４４   センサ
【図１】
0005651563.tif 000002
【図２】
0005651563.tif 000003
【図３】
0005651563.tif 000004
【図４】
0005651563.tif 000005
【図６】
0005651563.tif 000006
【図７】
0005651563.tif 000007
【図８】
0005651563.tif 000008
【図１０】
0005651563.tif 000009
【図５】
0005651563.tif 000010
【図９】
0005651563.tif 000011